(57)【要約】      （修正有）【課題】インキカートリッジと接続管部との密接嵌合部を介して外部にインキが漏出するおそれがない直液式筆記具を提供する。【解決手段】軸筒３の前端開口部に、前端にペン先２を備えたインキ保留部材６を設ける。インキ保留部材６の後方の軸筒３内に接続管部４２を設ける。接続管部４２を、インキを直に貯留するインキカートリッジ８の前端開口部に挿入する。接続管部４２の外壁とインキカートリッジ８の前端開口部の内壁とを密接嵌合させる。インキ保留部材６とインキカートリッジ８内部とを連通させる。接続管部４２を合成樹脂の成形体により構成する。接続管部４２の外壁に環状突起４２ａを一体に形成する。環状突起４２ａとインキカートリッジ８の前端開口部の内壁とを密接嵌合させる。【選択図】図１
0003144922.tif 000002
【実用新案登録請求の範囲】
【請求項１】
軸筒の前端開口部に、前端にペン先を備えたインキ保留部材を設け、前記インキ保留部材の後方の軸筒内に接続管部を設け、前記接続管部を、インキを直に貯留するインキカートリッジの前端開口部に挿入し、前記接続管部の外壁と前記インキカートリッジの前端開口部の内壁とを密接嵌合させ、インキ保留部材とインキカートリッジ内部とを連通させる直液式筆記具であって、前記接続管部を合成樹脂の成形体により構成し且つ前記接続管部の外壁に環状突起を一体に形成し、前記環状突起とインキカートリッジの前端開口部の内壁とを密接嵌合したことを特徴とする直液式筆記具。
【請求項２】
軸筒の前端開口部に、前端にペン先を備えたインキ保留部材を設け、前記インキ保留部材の後方の軸筒内に接続管部を設け、前記接続管部を、インキを直に貯留するインキカートリッジの前端開口部に挿入し、前記接続管部の外壁と前記インキカートリッジの前端開口部の内壁とを密接嵌合させ、インキ保留部材とインキカートリッジ内部とを連通させ、軸筒の前端部に、インキカートリッジ内と外気とを連通する空気孔を設け、キャップを軸筒のペン先側に装着した際にペン先及び空気孔を密封してなる直液式筆記具であって、前記接続管部を合成樹脂の成形体により構成し且つ前記接続管部の外壁に環状突起を一体に形成し、前記環状突起とインキカートリッジの前端開口部の内壁とを密接嵌合したことを特徴とする直液式筆記具。
【請求項３】
前記環状突起が密接嵌合する以前のインキカートリッジの前端開口部の内壁が、環状平滑面であり、前記環状突起と前記環状平滑面とが軸方向に密接摺動可能である請求項１または２記載の直液式筆記具。
【請求項４】
前記インキカートリッジが、前記接続管部を構成する合成樹脂よりも軟質の合成樹脂により構成される請求項１乃至３のいずれかに記載の直液式筆記具。
【請求項５】
前記環状突起が、前記接続管部の外壁の１箇所または２箇所に形成される請求項１乃至４のいずれかに記載の直液式筆記具。
【請求項６】
前記環状突起が、前記接続管部の後端部に形成される請求項５に記載の直液式筆記具。
【考案の詳細な説明】
【技術分野】
【０００１】
本考案は、直液式筆記具に関する。詳細には、インキカートリッジ内部にインキが直に貯留された直液式筆記具に関する。
【背景技術】
【０００２】
従来この種の直液式筆記具において、例えば、特許文献１には、インキ保留体（本考案のインキ保留部材に相当）の後方に突刺管（本考案の接続管部に相当）が突設され、前記突刺管にインキ筒（本考案のインキカートリッジに相当）が接続される構造が開示されている。
【０００３】
前記従来の構造において、突刺管の外壁とインキ筒の前端部内壁とが密接嵌合されている。その場合、突刺管及びインキ筒を合成樹脂の成形体により構成すると、突刺管の外壁またはインキ筒の前端部内壁にヒケが生じたり、あるいは突刺管の外壁またはインキ筒の前端部内壁の表面状態が荒れること（即ち表面荒れが生じること）がある。そうした場合、インキ筒内の圧力が上昇した際に、突刺管の外壁とインキ筒の前端部内壁との密接嵌合部を介してインキ筒内のインキが外部に漏出するおそれがある。
【０００４】
前記従来の構造において、特に、ペン先及び空気孔をキャップ装着により完全に密封する構造を備え、前記キャップ装着によるペン先及び空気孔の密封状態で、前記インキ筒の内圧が高い状態に維持される場合に、もし、前記僅かなヒケや僅かな表面荒れが密接嵌合部に存在していると、その密接嵌合部を介してインキ筒内のインキが外部に一層漏出しやすくなる。
【０００５】
【特許文献１】実開昭６１−１７７８８１号明細書
【考案の開示】
【考案が解決しようとする課題】
【０００６】
本考案は前記従来の問題点を解決するものであって、インキカートリッジと接続管部との密接嵌合部から外部にインキが漏出するおそれがない直液式筆記具を提供しようとするものである。尚、本考案において、「前」とはペン先側を指し、「後」とはインキカートリッジ側を指す。
【課題を解決するための手段】
【０００７】
［１］本考案は、軸筒３の前端開口部に、前端にペン先２を備えたインキ保留部材６を設け、前記インキ保留部材６の後方の軸筒３内に接続管部４２を設け、前記接続管部４２を、インキを直に貯留するインキカートリッジ８の前端開口部に挿入し、前記接続管部４２の外壁と前記インキカートリッジ８の前端開口部の内壁とを密接嵌合させ、インキ保留部材６とインキカートリッジ８内部とを連通させる直液式筆記具であって、前記接続管部４２を合成樹脂の成形体により構成し且つ前記接続管部４２の外壁に環状突起４２ａを一体に形成し、前記環状突起４２ａとインキカートリッジ８の前端開口部の内壁とを密接嵌合したこと（請求項１）を要件とする。
【０００８】
前記直液式筆記具１（請求項１）において、接続管部４２の外壁またはインキカートリッジ８の前端開口部の内壁に、ヒケや表面荒れが生じたとしても、接続管部４２を合成樹脂により構成し且つ前記接続管部４２の外壁に環状突起４２ａを一体に形成したことによって、インキカートリッジ８の前端開口部の内壁と前記環状突起４２ａとが線状に確実に密接嵌合できる。その結果、インキカートリッジ８と接続管部４２との密接嵌合部から外部にインキが漏出するおそれがない。
【０００９】
［２］また、本考案は、軸筒３の前端開口部に、前端にペン先２を備えたインキ保留部材６を設け、前記インキ保留部材６の後方の軸筒３内に接続管部４２を設け、前記接続管部４２を、インキを直に貯留するインキカートリッジ８の前端開口部に挿入し、前記接続管部４２の外壁と前記インキカートリッジ８の前端開口部の内壁とを密接嵌合させ、インキ保留部材６とインキカートリッジ８内部とを連通させ、軸筒３の前端部に、インキカートリッジ８内と外気とを連通する空気孔６５を設け、キャップを軸筒３のペン先２側に装着した際にペン先２及び空気孔６５を密封してなる直液式筆記具であって、前記接続管部４２を合成樹脂の成形体により構成し且つ前記接続管部４２の外壁に環状突起４２ａを一体に形成し、前記環状突起４２ａとインキカートリッジ８の前端開口部の内壁とを密接嵌合したこと（請求項２）を要件とする。
【００１０】
前記直液式筆記具１（請求項２）において、接続管部４２の外壁またはインキカートリッジ８の前端開口部の内壁に、ヒケや表面荒れが存在し、さらに、キャップ装着によるペン先２及び空気孔６５の密封状態で、前記インキカートリッジ８の内圧が高い状態に維持される場合であっても、接続管部４２を合成樹脂により構成し且つ前記接続管部４２の外壁に環状突起４２ａを一体に形成したことによって、インキカートリッジ８の前端開口部の内壁と前記環状突起４２ａとが確実に線状に密接嵌合できる。その結果、インキカートリッジ８と接続管部４２との密接嵌合部から外部にインキが漏出するおそれがない。
【００１１】
［３］前記直液式筆記具１において、前記環状突起４２ａが密接嵌合する以前のインキカートリッジ８の前端開口部の内壁が、環状平滑面８１であり、前記環状突起４２ａと前記環状平滑面８１とが軸方向に密接摺動可能であること（請求項３）が好ましい。
【００１２】
前記直液式筆記具１（請求項３）により、インキカートリッジ８と接続管部４２との挿入組立時の軸方向の位置関係がばらついたとしても、環状突起４２ａと環状平滑面８１との密接嵌合が得られる。もし、インキカートリッジ８と接続管部４２との密接嵌合部の構造が、乗り越え嵌合（突起同士が乗り越えるタイプ）や、凹凸嵌合（突起が窪みに落ち込むタイプ）の場合、インキカートリッジ８と接続管部４２との挿入組立時の軸方向の位置関係がばらつくと、確実な密接嵌合が得られないおそれがある。
【００１３】
［４］前記直液式筆記具１において、前記インキカートリッジ８が、前記接続管部４２を構成する合成樹脂よりも軟質の合成樹脂により構成されること（請求項４）が好ましい。
【００１４】
前記直液式筆記具１（請求項４）により、環状突起４２ａが、インキカートリッジ８の前端開口部の内壁を変形させて、インキカートリッジ８の前端開口部の内壁に食い込み、一層、確実な密接嵌合が得られる。
【００１５】
［５］前記直液式筆記具１において、前記環状突起４２ａは、前記接続管部４２の外壁の１箇所または２箇所（好ましくは1箇所のみ）に形成されること（請求項５）が好ましい。
【００１６】
前記直液式筆記具１（請求項５）により、インキカートリッジ８に接続管部４２を挿入する時、インキカートリッジ８と接続管部４２との密接嵌合が不完全な状態でインキカートリッジ８の挿入組立作業を終了してしまうことを防止できる。なぜなら、もし、環状突起４２ａが接続管部４２の外壁に多数存在する場合、インキカートリッジ８に接続管部４２を挿入する時、前記環状突起４２ａの数だけ嵌合開始時の抵抗感があり、インキカートリッジ８と接続管部４２との密接嵌合が不完全な状態でインキカートリッジ８の挿入組立作業を終了してしまうおそれがあるからである。
【００１７】
［６］前記直液式筆記具１において、前記環状突起４２ａが、前記接続管部４２の後端部に形成されること（請求項６）が好ましい。
【００１８】
前記直液式筆記具１（請求項６）により、インキカートリッジ８に接続管部４２を挿入する時、インキカートリッジ８と接続管部４２との密接嵌合が不完全な状態でインキカートリッジ８の挿入組立作業を終了してしまうことを、より一層防止できる。なぜなら、もし、環状突起４２ａが、接続管部４２の中間部に形成される場合、インキカートリッジ８に接続管部４２を挿入する時と、最初の嵌合開始時と環状突起４２ａによる嵌合開始時との２段階の抵抗感があり、インキカートリッジ８と接続管部４２との密接嵌合が不完全な状態でインキカートリッジ８の連結作業を終了してしまうおそれがあるからである。
【考案の効果】
【００１９】
請求項１の直液式筆記具によれば、インキカートリッジと接続管部との密接嵌合部から外部にインキが漏出するおそれがない。
【００２０】
請求項２の直液式筆記具によれば、インキカートリッジと接続管部との密接嵌合部から外部にインキが漏出するおそれがない。
【００２１】
請求項３の直液式筆記具によれば、インキカートリッジと接続管部との挿入組立時の軸方向の位置関係がばらついたとしても、環状突起と環状平滑面との密接嵌合が得られる。
【００２２】
請求項４の直液式筆記具によれば、環状突起がインキカートリッジの前端開口部の内壁を変形させて確実な密接嵌合が得られる。
【００２３】
請求項５の直液式筆記具によれば、インキカートリッジに接続管部を挿入する時、インキカートリッジと接続管部との密接嵌合が不完全な状態でインキカートリッジの挿入組立作業を終了してしまうことを防止できる。
【００２４】
請求項６の直液式筆記具によれば、インキカートリッジに接続管部を挿入する時、インキカートリッジと接続管部との密接嵌合が不完全な状態でインキカートリッジの挿入組立作業を終了してしまうことを、より一層防止できる。
【考案を実施するための最良の形態】
【００２５】
本考案を実施するための最良の形態を説明する。
【００２６】
本実施例の直液式筆記具は、主に、前軸４と後軸５とからなる軸筒３と、前記前軸４内に収容され、前端にペン先２を備えたインキ保留部材６と、前記後軸５内に収容されるインキカートリッジ８と、ペン先２側に着脱自在のキャップ９とからなる。
【００２７】
・前軸
前記前軸４は、円筒状の前側筒部４１と、該前側筒部４１の底壁から後方に一体に連設され且つ前側筒部４１より小径円筒状の接続管部４２と、前記前側筒部４１の底壁より後方に一体に連設され且つ前記接続管部４２の外周を同心状に包囲するよう配置された円筒状の後側筒部４３と、前記接続管部４２の後端部に一体に形成されたインキカートリッジ開栓用の突片４４とからなる。前記前軸４は、合成樹脂（例えば、ポリプロピレン）の射出成形により得られる。また、前記後側筒部４３の外壁には、雄ネジ部が形成される。
【００２８】
・接続管部
前記接続管部４２の外壁には、インキカートリッジ８の前端開口部の内壁と円周面状に密接可能な密接嵌合部が形成される。前記密接嵌合部は、軸方向の適宜寸法を備えるとともに、インキカートリッジ８の前端開口部の内径より僅かに大きい外径を有する。さらに、前記密接嵌合部の後端部には、環状突起４２ａが一体に形成される。
【００２９】
・後軸
前記後軸５は、前端が開口され且つ後端が閉鎖された有底筒体であり、合成樹脂(例えば、ポリカーボネイト)の射出成形により得られる。前記後軸５の前端開口部の内壁には、雌ネジ部が形成される。前記雌ネジ部は、前記前軸４の前側筒部４１の外壁の雄ネジ部と螺合可能であり、それにより、前記後軸５の前端部は前軸４の後端部と着脱自在に螺着される。
【００３０】
・インキ保留部材
前記インキ保留部材６は、インキカートリッジ８内の圧力上昇に応じた余剰インキを一時的に保持する部材である。前記インキ保留部材６は、複数の櫛歯よりなるインキ保留部６１(櫛溝部)と、該インキ保留部６１の後端（即ち後端櫛歯６６後端面）より後方に突出され且つ該インキ保留部６１の外径より小さい外径を有する縮径筒部６２と、前記インキ保留部６１の前端より前方に突出されたペン先取付部６３とが、一体に形成された合成樹脂（例えば、ＡＢＳ樹脂）の射出成形体よりなる。また、前記インキ保留部材６の軸心には、軸方向に延び且つ後端が後方に開口された軸心孔６４が設けられる。前記軸心孔６４にはインキ誘導芯７が挿着される。前記ペン先取付部６３には、ペン先２が取り付けられる。尚、本考案におけるインキ保留部材６は、前記構成以外にも、インキ保留部６１が螺旋状溝や迷路状溝からなるもの、あるいは、インキ保留部６１が繊維材料または多孔質材料からなるもの等、いずれであってもよい。
【００３１】
前記インキ保留部材６は前軸４内に挿着される。即ち、前記インキ保留部材６のインキ保留部６１は、前軸４の前側筒部４１内に挿入配置され、前記インキ保留部材６の縮径筒部６２は、前軸４の接続管部４２内に挿入配置される。このとき、ペン先２及びペン先取付部６３が前軸４の前端より前方に突出される。また、前記前軸４の前端（即ちインキ保留部６１の前端）には空気孔６５が開口される。前記空気孔６５によりインキ保留部６１と外気とが連通される。
【００３２】
前記インキ保留部６１には、軸方向に延び且つ径方向外方に開口する第１のスリットが６１ａ形成される。前記第１のスリット６１ａにより、インキ保留部６１の櫛歯間が連通される。前記縮径筒部６２の外壁には、軸方向に延び且つ径方向外方に開口する第２のスリット６２ａが形成される。前記第２のスリット６２ａは、前端が第１のスリット６１ａと接続され、後端が軸方向後方（即ちインキカートリッジ８内）に開口される。前記第１のスリット６１ａ及び第２のスリット６２ａと軸心孔６４とは径方向に非連通に構成される。また、前記第１のスリット６１ａと前記第２のスリット６２ａとが、同一軸線上に形成されている。
【００３３】
前記軸心孔６４には、インキ誘導芯７が挿着される。前記インキ誘導芯７は、毛細管力を有する軸方向のインキ導出路を備えるものであればいずれであってもよく、本実施例では、繊維の樹脂加工により得られる棒状体が採用されているが、これ以外にも、例えば、多孔質体、合成樹脂の押出成形体が挙げられる。前記インキ誘導芯７の前端は、ペン先２に接続され、前記インキ誘導芯７の後端は、縮径筒部６２の後端面と略一致している。
【００３４】
前記ペン先２は、ペン先取付部６３に取り付けられる。本実施の形態では、前記ペン先２は、前端に切り割り２１を有する金属板製ペン体（いわゆる万年筆ペン体）が採用されている。前記ペン先２前端の切り割り２１には、インキ誘導芯７の前端が圧接状態で接続されている。尚、本考案において、ペン先２は、前記金属板製ペン体の他、例えば、ボールペンチップ、繊維ペン体、多孔質ペン体、合成樹脂の押出成形体よりなるプラスチックペン体、パイプ状ペン体、毛筆ペン体等が挙げられる。また、前記ペン先２は、インキ誘導芯７を兼ねるものでもよい。
【００３５】
・インキカートリッジ
前記インキカートリッジ８は、前端が開口され且つ後端が閉鎖された有底筒体よりなり、合成樹脂（例えばポリエチレン）の射出成形により得られる。前記インキカートリッジ８の前端開口部の内壁には環状平滑面８１が形成される。前記インキカートリッジ８内にはインキが直に貯溜される。前記インキカートリッジ８の前端開口部には栓体８２が固着され、それにより、インキカートリッジ８内は密封状態となる。前記密封状態のインキカートリッジ８の前端に前記接続管部４２を挿入すると、接続管部４２の後端に形成された突片４４により栓体８２が後方に押圧され、栓体８２がインキカートリッジ８内に外され、インキカートリッジ８が開栓される。このとき、接続管部４２の外壁の密接嵌合部（環状突起４２ａ）とインキカートリッジ８の前端開口部の内壁とは密嵌状態（密接嵌合状態）にある。
【００３６】
・キャップ
キャップ９は外キャップ９１と内キャップ９２とからなり、前記内キャップ９２が前軸４の前端開口部に装着されることにより、ペン先２及び空気孔６５が密封される。
【００３７】
・インキカートリジの交換
本実施の形態の直液式筆記具１におけるインキカートリッジ８の交換を説明する。キャップ９をペン先２側から取り外した後、後軸５を前軸４から取り外す。その後、インキカートリッジ８を接続管部４２から引き抜く。そして、新たなインキカートリッジ８に接続管部４２を挿入する（図２参照）。このとき、インキカートリッジ８の前端開口部に接続管部４２が挿入され、最初に接続管部４２の外壁の環状突起４２ａがインキカートリッジ８の前端開口部の内壁の環状平滑面８１と密接嵌合を開始し、前記環状突起４２ａがインキカートリッジ８の前端開口部の内壁の環状平滑面８１と密接摺動する。前記密接摺動される中で、栓体８２が突片４４により後方に押圧され、栓体８２がインキカートリッジ８内に外され、インキカートリッジ８が開栓される。最後に、インキカートリッジ８前端が、前側筒部４１と接続管部４２との間を連結する底壁に当接し、インキカートリッジ８の挿入組立が終了する（図３参照）。前記インキカートリッジ８の挿入組立が終了したとき、少なくとも、接続管部４２の外壁の環状突起４２ａは、インキカートリッジ８の前端開口部の内壁の環状平滑面８１を径方向に変形させ、環状平滑面８１に食い付いて、確実な密接嵌合状態にある。
【００３８】
・キャップ装着状態
本実施の形態の直液式筆記具１におけるキャップ装着状態の作用について説明する。
キャップ９をペン先側に装着すると、ペン先２及び空気孔６５が密封される。前記ペン先２及び空気孔６５が密封状態で、前記インキカートリッジ８の内圧が高い状態に維持される場合、インキカートリッジ８の前端開口部の内壁の環状平滑面８１と前記環状突起４２ａとが確実に線状に密接嵌合される。その結果、インキカートリッジ８と接続管部４２との密接嵌合部を介して外部にインキが漏出するおそれがない。
【図面の簡単な説明】
【００３９】
【図１】本考案の実施の形態の縦断面図である。
【図２】図１におけるインキカートリッジ挿入組立前を示す拡大縦断面図である。
【図３】図１におけるインキカートリッジ挿入組立後を示す拡大縦断面図である。
【符号の説明】
【００４０】
１  直液式筆記具
２  ペン先
２１  切り割り
３  軸筒
４  前軸
４１  前側筒部
４２  接続管部
４２ａ  環状突起
４３  後側筒部
４４突片
５  後軸
６  インキ保留部材
６１  インキ保留部
６１ａ  第１のスリット
６２  縮径筒部
６２ａ  第２のスリット
６３  ペン先取付部
６４  軸心孔
６５  空気孔
６６  後端櫛歯
７  インキ誘導芯
８  インキカートリッジ
【図１】
0003144922.tif 000003
【図２】
0003144922.tif 000004
【図３】
0003144922.tif 000005